Podtech/llm-jp-corpus-v4-ja_patent huggingface dataset:
(57)【要約】      （修正有）【課題】軟質樹脂で作られた疑似餌の障害物への引っ掛かりを回避し、バランスを崩す事なく姿勢を保った状態で保持し、同時に軟質疑似餌を傷める事なく取り付け及び取り外しする事を容易にした釣り針を提供する。【解決手段】釣り針本体１に取り付けられた柔軟かつ復元力の有る樹脂等で作られた２本の線材２を軟質疑似餌３の太さに合わせてＶ字型に拡げ、その間に軟質疑似餌３の胴部を挟み込み、針先は軟質疑似餌３の内部に埋め込む事で針から上下及び左右にずれて姿勢が崩れる事と障害物への引っ掛かりを防止する。釣り針を外す際は軟質疑似餌３の下側に一旦針全体を抜き、傘を折り畳むようにＶ字型の線材２の拡がりを閉じる事で軟質疑似餌３を傷める事なく、釣り糸を結ぶ環６の方向に引く事でスムーズに取り外し出来るようにする。【選択図】図４
0003226290.tif 000002
【実用新案登録請求の範囲】
【請求項１】
弾性材料から線状に形成され、基端部が軸部分に固定された２本の線状のストッパーを有する軟質疑似餌用ズレ防止部を備える釣り針。
【請求項２】
前記軸部分の基端部に釣り糸を結ぶ環が設けられ、前記２本のストッパーは前記軟質疑似餌が装着された状態で、互いに交差し且つ前記軸部分の延長方向と交差する方向へ延在し、前記環に近づくほど互いの距離が長くなるように配置されている請求項１に記載の釣り針。
【考案の詳細な説明】
【技術分野】
【０００１】  本考案は主にブラックバスを釣る為の軟質疑似餌用釣り針において、Ｖ字形状のズレ防止部を軸部に取り付ける事で軟質疑似餌本体がずれ落ちる事を防ぐと共に、Ｖ字に軟質疑似餌を挟み込んでセットする事で上下左右に暴れる事なく、しっかり姿勢を維持する機能を持った釣り針である。
【背景技術】
【０００２】  主にブラックバスを釣る為に用いられる軟質の合成樹脂製疑似餌は障害物内に潜む魚を釣る特性上、摩擦等で釣り針からズレたり脱落する事で本来の性能を発揮出来ない場合が多々あった。
【先行技術文献】
【特許文献】
【０００３】
【特許文献０１】実用新案２０００−００１３８１号
【考案の概要】
【考案が解決しようとする課題】
【０００４】  軟質疑似餌用の釣り針でありながら疑似餌本体の姿勢維持とズレ防止、さらに容易な交換を両立する。
【課題を解決する手段】
【０００５】  張りと柔軟性があり、かつ復元力を持ち合わせた樹脂等の素材で出来た２本の線材によって構成されたＶ字型のズレ止めを釣り針軸部に取り付ける。
【考案の効果】
【０００６】  本考案の付いた釣り針に軟質疑似餌を正しくセットする事で、障害物内にその疑似餌を投げ入れても引っ掛かりを防止する事が出来る。
更にズレが起こり難い事で安定した姿勢で疑似餌本来の性能を発揮し、魚の食い付きを誘い易くなる。
使い終わった疑似餌を傷める事なく釣り針から外し、再利用出来る。
【図面の簡単な説明】
【０００７】
【図１】本考案の実施形態に係る釣り針１の正面図である。
【図２】本考案の実施形態に係る釣り針１の斜視図である。
【図３】本考案の実施形態に係る釣り針１を軟質疑似餌３に取り付けた状態を示す模式図である。
【図４】本考案の実施形態に係る釣り針１を軟質疑似餌３に取り付けた状態を図３のａ方向から見た模式図である。
【考案を実施するための形態】
【０００８】釣り針軸部にナイロン製等の２本の線材が釣糸を結ぶ環側の数ミリを残し、ポリエステル製等の細い撚り糸の巻き付けによって取り付けられ、接着剤で固めて固定されている。
２本の線材は先端を指先で摘まんで可動させる事で、Ｖ字型に開いたり、また閉じたりする事が可能である。
【実施例】
【０００９】釣り針本体１の軸部にポリエステル製の細い撚り糸で幅１ｃｍほど下巻きする。
ナイロン製の長さ５ｃｍほどの線材２を指で二つ折りにした物の先端側を指で摘まみ、釣り針本体１の軸部に平行に沿わす。
その上からナイロン製線材２と釣り針１軸部を一本にまとめるようにポリエステル製の細い撚り糸４を釣糸を結ぶ環６の方向に向かい密に巻き付けていき、ナイロン製線材２の折り目側の１．５ｃｍほどを残して巻き終える。
巻き付けた撚り糸４に瞬間接着剤を満遍なくたらし、硬化しほどけないようになってから余分の糸を切る。
最後にナイロン製線材２の折り目をハサミを使って切り、Ｖ字の二股になるようにして完成とする。【００１０】  実際に軟質疑似餌に本発案の釣り針を装着する際は軟質疑似餌３の胴体部に釣り針１を針先から貫通させ、釣糸５が軟質疑似餌１の内部を通る様に一旦釣り針全体を下側に引き抜く。
２本のナイロン製線材２をＶ字型に広げた後、釣糸を引っ張り釣り針軸部を軟質疑似餌３内部を貫通した形に戻し、同時に２本の線材２で軟質疑似餌胴体部を両側から挟みこみ固定する。
釣り針１の針先を軟質疑似餌胴体後部に埋め込み、障害物の引っ掛かりを抑止する。
釣り針１から軟質疑似餌を取り外す際にはもう一度釣り針全体を軟質疑似餌の下側に引き抜き、２本の線材２を指で閉じて釣り針軸部に沿わしてから軟質疑似餌３内部に通った釣糸５を上方向に引き抜く事で線材２が軟質疑似餌３を傷める事なく釣り針１全体を外す事が可能となる。
【符号の説明】
【００１１】１  釣り針本体
２  ナイロン製線材
３  軟質疑似餌
４  ポリエステル製撚り糸
５  釣糸
６  釣糸を結ぶ環
【図１】
0003226290.tif 000003
【図２】
0003226290.tif 000004
【図３】
0003226290.tif 000005
【図４】
0003226290.tif 000006
(57)【要約】      （修正有）【課題】アクセルとブレーキの踏込み間違いによる急発進を防止する四輪自動車のブレーキ踏み間違い防止装置を提供する。【解決手段】一方のシリンダー２内部に、上下に動くＯリング３の下に水４とスプリング５を入れ、他方のシリンダー内部には固定したＯリング７の下に水と鉄玉６を入れ、二つのシリンダーは下部側面同士がパイプで繋がっており水のみが行き来きして、瞬時にアクセルペダルを踏込み上下に動くＯリングを押下げると、スプリングが収縮して水が圧縮されパイプを通り流れだすことで、鉄玉が浮上り固定しているＯリングを塞ぎ、水の流れを止めアクセルペダルが踏込み不能となる構造を有する。【選択図】図１
0003226291.tif 000002
【実用新案登録請求の範囲】
【請求項１】
車のアクセルペダル下部に取付け、瞬時に踏み込むとロックが掛り踏込み不能となる。
【考案の詳細な説明】
【技術分野】
【０００１】  本考案は、アクセルペダルの下部にロック機能を設けた装置に関するものである。
【背景技術】
【０００２】  ブレーキとアクセルの踏み間違いによる急発進の事故が急増している。
【考案の概要】
【考案が解決しようとする課題】
【０００３】  ブレーキと思い込みアクセルを瞬時に踏込んだ時、急発進して事故に繋がる場合がある。従って、アクセルの下部に機械的にロックが掛る装置を設置することにより、踏み間違いによる急発進を防ぐことが可能となり、前述の問題点を解決しようとするものである。
【課題を解決するための手段】
【０００４】  本考案は、ブレーキと思いアクセルを瞬時に踏込み、急発進することを防ぐため、アクセルペダルの下部にロック装置を取付て瞬時にペダルが踏まれた時にロックが掛る。このことにより急発進を防ぐことが可能となる。また、ロックを解除する時は、ペダルの踏込みを解除して再度ゆっくりと踏込めば通常のアクセル操作が可能である。
【考案の効果】
【０００５】  上述の様に、本考案の四輪自動車のブレーキ踏み間違い防止装置は、ブレーキと思い込みアクセルを瞬時に踏込んだ時、アクセルペダルの下部に設置したロック装置が作動して急発進を防ぐことが可能となり事故軽減にも役立つ。
【図面の簡単な説明】
【０００６】
【図１】本考案の四輪自動車のブレーキ踏み間違い防止装置の断面図である。
【考案を実施するための形態】
【０００７】  アクセルペダルの下部にロック装置を取付て瞬時にペダルが踏まれた時にロックが掛る。また、ロックを解除する時は、ペダルの踏込みを解除して再度ゆっくりと踏込めば通常のアクセル操作が可能である。
【実施例】
【０００８】  以下、添付画面に従って実施例を説明する。１のアクセルペダルを瞬時に踏むことにより２のシリンダー内の３０リングで４水を圧縮し、６の鉄玉が持ち上がり７の０リングでストップして水の動力がなくなり踏込み不能となる。
【符号の説明】
【０００９】  １  アクセルペダル
２  シリンダー
３  ０リング
４  水
５  スプリング
６  鉄玉
７  ０リング
【図１】
0003226291.tif 000003
【手続補正書】
【提出日】令和1年10月16日(2019.10.16)
【手続補正１】
【補正対象書類名】実用新案登録請求の範囲
【補正対象項目名】全文
【補正方法】変更
【補正の内容】
【実用新案登録請求の範囲】
【請求項１】
本考案はＵ字形シリンダーＡ層とＢ層から形成され、アクセルペダルの下部に取付けて瞬時にアクセルペダルを踏込むことにより、Ｕ字形シリンダーＡ層内部の水が圧力によりＵ字形シリンダーＢ層内部の鉄玉を押上げ、弁の役目をしているＯリングを塞ぎ水の流れを止めアクセルペダルが踏込み不能となる一方で、アクセルペダルをゆっくり踏込むと鉄玉を押上げる圧力が弱まり鉄玉はＯリングを塞ぐことなく水が流れていき踏込み可能となる構造を有する四輪自動車のブレーキ踏み間違い防止装置。
【手続補正書】
【提出日】令和2年1月24日(2020.1.24)
【手続補正１】
【補正対象書類名】実用新案登録請求の範囲
【補正対象項目名】全文
【補正方法】変更
【補正の内容】
【実用新案登録請求の範囲】
【請求項１】
シリンダー内部は、上下に動く０リングの下に水とスプリングを入れ、もう一方のシリンダー内部には固定した０リングの下に水と鉄玉を入れ、二つのシリンダーは下部側面同士がパイプで繋がっており水のみが行き来きして、瞬時にアクセルペダルを踏込み上下に動く０リングを押下げると、スプリングが収縮して水が圧縮されパイプを通り流れだすことで、鉄玉が浮上り固定している０リングを塞ぐことで水の流れを止めアクセルペダルが踏込み不能となる構造を有する四輪自動車のブレーキ踏み間違い防止装置。
(57)【要約】      （修正有）【課題】シリコーンゴムで被覆されたマグネットボタンを装着し、自転車利用中に手がふさがっている場合でも片手で開閉できるようにした自転車用荷籠カバーを提供する。【解決手段】籠カバー本体１と、籠カバー本体に開閉可能に設けられた蓋部分２とを備えた自転車用荷籠カバーにシリコーンゴムで被覆されたマグネットボタン３を装着し、容易に開閉できるようにした。マグネットはシリコーンゴムで完全に被覆されていることから雨などによる錆から防ぎ製品寿命を長くできる。【選択図】図１
0003226361.tif 000002
【実用新案登録請求の範囲】
【請求項１】
自転車用荷籠カバーにシリコーンゴムで被覆されたマグネットボタンを装着させ容易に開閉できることを特徴とした自転車用荷籠カバー
【請求項２】
自転車用荷籠カバーは屋外で使用するため、磁石に錆が発生しないようシリコーンゴムで被覆することにより、その耐久性と製品寿命を高めたマグネットボタン
【考案の詳細な説明】
【技術分野】
【０００１】  本考案は、自転車及び電動アシスト自転車用荷籠カバー開閉部にマグネットボタンを設けた、荷籠カバーに関するものである。
【背景技術】
【０００２】  一般に自転車用荷籠カバーを開閉するためには、ファスナーや紐などが用いられており、両手で操作することが必要とされてきた。このため、買い物した後の荷物や雨の日の傘など片手あるいは両手に荷物などを保持しているにも拘わらず荷籠カバーの開閉に手間がかかっていた。【０００３】  マグネットはプラスチックなどで被覆されたものはあったが、プラスチックも紫外線等によって損傷を受けやすいため、屋外製品としては不向きであった。
【先行技術文献】
【非特許文献１】青木金属工業株式会社，電子カタログ，ＲＣシリーズ，ＣＢシリーズ
【考案の概要】
【考案が解決しようとする課題】
【０００４】  自転車を利用し、買い物・通勤・通学等をする場合、鞄という荷物  あるいは雨の日は傘を保持している率が高く、自転車用荷籠カバーの開閉に両手を使用しなくてはいけない労力は時間的・労働的に負担である。従って、磁力により荷籠カバーが開閉ができることで前述の欠点を解決しようとするものである。【０００５】  マグネットボタンでの開閉だけでは、完全に荷籠カバーを閉じることにならないため、ファスナーなども設けることで、用途・目的に合わせた開閉方法も提供するものである。【０００６】  マグネットを錆から防ぐために、撥水性・耐候性・耐熱性・耐寒性高いシリコーンゴムで被覆することにより、マグネットの保護機能を高めようとするものである。
【課題を解決するための手段】
【０００７】  上記の課題を解決するための手段を図に参照して説明する。
請求項２の考案は、シリコーンゴムで被覆されたマグネットが縫製しやすいように台板（３）（４）が設けられ、マグネットのＮ極（３Ａ）とＳ極（４Ａ）ができるだけ容易に磁着しやすいようそれぞれに凸部になっている。【０００８】  また、前述のマグネットが完全にシリコーンゴムで覆われていることから高い防水性を発揮している。【０００９】  シリコーンマグネットボタンの台板（３）（４）が荷籠カバーの布（１）（２）とミシン等で容易に縫製できる薄さで設計されていると共に、シリコーンゴムという柔軟な材料のために荷籠カバーの布の厚みに関係なく対応できるようにされていることでミシン針が通りにくいなどといった手間がなく効率的な製造加工を可能とした。
【考案の効果】
【００１０】  上述の様に、本考案のシリコーンマグネットボタン付き自転車用荷籠カバーは、荷籠カバーの開閉操作を簡便化させると当時に、屋外での使用中にボタンだけが錆で劣化することを回避させた。
また、自転車のフレームカラーが多様に展開されている中、その荷籠カバーも色や柄など多様化させなくてはいけないため、シリコーンゴムを使うことによって、荷籠カバーの布の色や柄に合わせた色や柄にシリコーンマグネットボタンを設計・提供ができることで荷籠カバーの意匠美に寄与することもできる。
【図面の簡単な説明】
【００１１】
【図１】本考案のシリコーンマグネットボタン付自転車用荷籠カバーの一実施例を示す斜視図である。
【図２】本考案のシリコーンマグネットボタン付き自転車用荷籠カバーの一実施例を示す側面図である。
【図３】本考案のシリコーンマグネットボタンの正面図である。
【図４】本考案のシリコーンマグネットボタンの断面図である。
【考案を実施するための形態】
【００１２】  本考案について下記説明するが、これに限定するものではない。
【００１３】  自転車用荷籠カバーの開閉部にシリコーンマグネットボタンを縫製等により装着させる。荷籠カバーを閉じる時、荷籠カバーの蓋部分が上方向にある場合は上部蓋部分を押すことで下部分にあるシリコーンマグネットボタンに吸着されボタン同士が自然に磁着することで容易に閉じる。また、開ける時は、そのシリコーンマグネット部分を片手で引っ張るだけで開けることが可能である。
【実施例】
【００１４】本考案の一実施例を図面を参照にしながら説明する。
図１は自転車の荷籠に本考案の荷籠カバーが装着された一実施例の斜視図である。図２に示すように籠カバーの蓋の部分（２）と籠カバー本体側（１）にシリコーンゴムの台板（３）（４）それぞれと一体的になるよう台板の中央でマグネット（３Ａ）（４Ａ）が突起するようシリコーンゴムで被覆されており、蓋の閉鎖時において、前述したシリコーンマグネットボタン同士が磁着する。
【符号の説明】
【００１５】１  荷籠カバー本体
２  荷籠カバー蓋の部分
３  シリコーンマグネットボタン台板、３Ａ  マグネットＮ極
４  シリコーンマグネットボタン台板、４Ａ  マグネットＳ極
５  ファスナー
【図１】
0003226361.tif 000003
【図２】
0003226361.tif 000004
【図３】
0003226361.tif 000005
【図４】
0003226361.tif 000006
【手続補正書】
【提出日】令和2年3月2日(2020.3.2)
【手続補正１】
【補正対象書類名】実用新案登録請求の範囲
【補正対象項目名】全文
【補正方法】変更
【補正の内容】
【実用新案登録請求の範囲】
【請求項１】
籠カバー本体と、該籠カバー本体に開閉可能に設けられた蓋部分とを備えた自転車用荷籠カバーにシリコーンゴムで被覆されたマグネットボタンを装着させ、容易に開閉できることを特徴とした自転車用荷籠カバー。
【請求項２】
自転車用荷籠カバーに装着されたマグネットボタンにおいて、自転車用荷籠カバーは屋外で使用するため、磁石に錆が発生しないようシリコーンゴムで被覆することにより、その耐久性と製品寿命を高めたマグネットボタン。
(57)【要約】      （修正有）【課題】尿失禁を防止し、残尿感のない排尿を促すことができる尿漏れ防止バンドを提供する。【解決手段】伸縮自在のベルトと、ベルトの両端部に各々固定した雌雄対をなす面ファスナー３と、ベルトの内側に固定した尿道圧迫用突起４を備え、ベルトが陰茎の周囲に伸縮自在に装着される尿漏れ防止バンドであって、ベルトの内側に柔軟性を有するクッション層１を被着した。【選択図】図１
0003226365.tif 000002
【実用新案登録請求の範囲】
【請求項１】
伸縮自在のベルトと、前記ベルトの両端部に各々固定した雌雄対をなす面ファスナーと、前記ベルトの内側に固定した尿道圧迫用突起を備え、前記ベルトが陰茎の周囲に伸縮自在に装着されることを特徴とする尿漏れ防止バンド。
【請求項２】
前記ベルトの内側に柔軟性を有するクッション層を被着したことを特徴とする請求項１に記載の尿漏れ防止バンド。
【考案の詳細な説明】
【技術分野】
【０００１】  本発明は、男性の尿漏れを簡単に防ぐ尿漏れバンドに関する考案である。
【背景技術】
【０００２】  加齢や前立腺癌および前立腺肥大症の手術などの後の尿失禁対策としては、オムツや尿取りパットなど、失禁後の尿を外部に漏らさない方法が一般的であった。
【考案の概要】
【考案が解決しようとする課題】
【０００３】  オムツや尿取りパッドは、最近では薄型のものも市販されているが、装着時の違和感や動きにくさ、また着替え時に他人に見られるという羞恥を感じるという問題があった。
【課題を解決するための手段】
【０００４】  前記の課題を解決するために、伸縮自在のベルトと、前記ベルトの両端部に各々固定した雌雄対をなす面ファスナーと、前記ベルトの内側に固定した尿道圧迫用突起を備え、前記ベルトが陰茎の周囲に伸縮自在に装着され、また前記ベルトの内側に柔軟性を有するクッション層を被着したことを特徴とする尿漏れ防止バンドを考案した。
【考案の効果】
【０００５】  本考案の尿漏れ防止バンドを陰茎に装着することで、尿失禁を防止し、また残尿感のない排尿を促すことができる。
【図面の簡単な説明】
【０００６】
【図１】本考案の全体図
【考案を実施するための形態】
【０００７】  考案した尿漏れ防止バンドは、突起を持つベルトで陰茎部を圧迫し、尿失禁を止めるものである。皮膚に触れる部分は、水に濡れても破れない不織布などのクッション層、その上はゴムバンドの複層構造であり、両端を面ファスナーで環状に連結し、陰茎下部にあたる部分に尿道を圧迫する突起を持つ尿漏れ防止バンドである。水に濡れても破れない柔らかい皮膚に触れるクッション層１及び全体を圧迫するゴムバンド層２からなる２層構造のベルトと、当該ベルトの両端に縫着され環状に連結する面ファスナー３とベルトの内側に固定された尿道圧迫用突起４を持つ。各層は幅１センチから３センチ程度、長さ１５センチから２０センチのベルト状であり、尿道圧迫用突起は、直径５ミリ〜１０ミリ程度の球形または半球形のもので、突起部を陰茎下部に当てて、ベルトを陰茎に巻き付け尿道を圧迫することにより失禁を防ぐものである。
【実施例】
【０００８】  以下、添付図面に従って一実施例を説明する。本考案は、突起を持つベルトで陰茎部を圧迫し、尿失禁を止めるものである。皮膚に触れる部分は、水に濡れても破れない不織布などのクッション層、その上はゴムバンド層の複層構造であり、両端を面ファスナーで環状に連結し、陰茎下部にあたる部分に尿道を圧迫する突起を持つ尿漏れ防止バンドである。
１は、医療用のしっぷ基材に代表される不織布を利用し、２は、厚さ２ミリ程度の板ゴムを用いて、１、２を重ねて固定し、その両端に固定用の面ファスナー３を設けた。１の中央部に５〜１０ミリの金属製又は合成樹脂製等の球体を接着材で固定し、本考案の尿漏れ防止バンドを実現した。【０００９】  本尿漏れ防止バンドは、４を尿道にあてがい陰茎にベルトを巻き付け、面ファスナーを連結することにより装着が完了する。
【符号の説明】
【００１０】１  クッション層
２  ゴムバンド層
３  面ファスナー
４  尿道圧迫用突起
【図１】
0003226365.tif 000003
(57)【要約】【課題】本考案は防水シートにおいて周囲から侵入する風を排出する開口部２を設け、防水シートの破損や吹き飛ぶことにより周囲に損害を及ぼすことのない防水シートを提供するものである。【解決手段】本考案は防水シート１に開口部を設け，それに雨水浸入防止具７を隙間の無いように防水に配慮して取り付ける。かつ、開口部２から雨水の浸入を防止する雨水防止カバーシート６を鳩目３を通したロープ１０で結束して取り付ける。上述の手段により強風による防水シートの破損や飛散による問題点を解決した。【選択図】図５
0003226399.tif 000002
【実用新案登録請求の範囲】
【請求項１】
雨水などの水の浸入を防止する布やビニール製のシートに、１から数個所の開口部を設け内部に侵入した風，風圧を排出することを特徴とする、耐風雨防水シート。
【請求項２】
当該防水シートの開口部にシート表面を流れる雨水が内部に浸入するのを防止するための水止め壁を有する流水防止具を装着する、耐風雨防水シート。
【請求項３】
小面積の防水シート（開口部カバーシート）と本体の防水シートを互いの鳩目に通したロ−プで防水シート内部に侵入した風，風圧を排出できる程度に装着して開口部からの雨水の浸入を防止する耐風雨防水シート。
【考案の詳細な説明】
【技術分野】
【０００１】本考案は防水処理した布やビニールからなる防水シートの内部に侵入する強風を排出する開口部と開口部から侵・浸進入する風・雨や流水を防止するカバーシート及び流水防止具を設けた耐風雨防水シートに関する。
【背景技術】
【０００２】台風等風水害時に家屋等への雨漏りや風害の防止手段として防水処理した布やビニールシート製の防水シートを覆うことは知られている。【０００３】しかしながら、従来の気密性の高い防水シートでは周囲の隙間から侵入する強風を内部に含んだ時風圧によりシートが破れたり破損し、そこから雨水が家屋内に浸入し家屋や家財に計り知れない損失を発生する。更にシートが吹き飛ばされて電気災害など、二次災害を起こす欠点がある。
【考案の概要】
本考案は防水シートとしての役割を有しながら台風などの強風ににより破損したり吹き飛ばされない防水シートを完成したものである。
【考案が解決しようとする課題】
【０００４】本考案は、上述のような従来のシートの欠点に鑑み、台風などの風雨でも風を内部に含まないので破損する恐れがなく、風や雨水の屋内への侵・浸入を防止し、又それが周辺に吹き飛ばされニ次災害をおこす恐れのない耐風雨防水シートを提供することを目的としている。
【課題を解決する為の手段】
【０００５】本考案は防水処理した布やビニール製のシートの中央部近傍に内面から外面に導通した開口部を設け，吹き込んでくる風の排出と開口部からの風雨の侵・浸入を防止するカバーシート及び浸入を防止する流水防止具を配備してなる加工容易で簡便化を実現し、［請求項］の構成要件とで耐風雨防水シートを構成している。
【考案の効果】
【０００６】以上の説明から明らかなように、本考案は、次に列挙する効果が得られる。
（１）請求項１は、雨水などの水の浸入を防止する布やビニール製のシートに１から数箇所の開口部を設け内部に侵入した風を排出するように構成されているので、耐水シートとしての防水性と風によるトラブルの無い耐風雨防水シートとなる。本考案は従来のシートの欠点を明らかに改善するものである。しかも、安価な市販の防水シートなどをそのまま活用が可能であるという効果もある。
【０００７】（２）請求項２は、当該防水シートの開口部に、シート表面を流れる雨水などが内部に浸入するのを防止するための水止め壁を有する流水防止具を装着している、しかも、接着剤などで水の浸透のないよう固着した構成であるので、シートとしての本来の役割を果たすと共に開口部からの雨水などの水の浸入のない防水シートを完成した。しかも、流水防止具は樹脂，金属，木などの安価な材料で簡単な構造であるので実現性に優れるものである。
【０００８】（３）請求項３は、開口部から降雨水などが浸入するのを防止するための小面積の防水シートを互いの鳩目に通したロープで取り付け、開口部をカバーする構成であるので、台風など強風雨に耐える防水シートを完成することができる。
【図面の簡単な説明】
【０００９】，
【図１】  鳩目付防水シート１の開口部２に流水浸入防止具７を取り付けた状態の平面図である。
【図２】  鳩目付雨水防止カバーシート６の平面図である。
【図３】  防水シート１に鳩目３を取付ける工程の斜視図である。
【図４】  流水浸入防止具７の斜視図である。
【図５】  耐風雨防水シートの平面図である。
【考案を実施するための形態】
【００１０】本考案は，図１に示す通常の防水シートの中央部近傍に開口部２を設け，その開口部２に図４に示す流水浸入防止具７を接着剤などで固着して取り付けた防水シート１とそれより小面積の図２に示す雨水防止カバーシート６で構成する。防水シート１及び雨水防止カバーシート６の周辺部に図３の鳩目が設けられており、その鳩目の穴にロープ１０を通して雨水防止カバーシート６を防水シート内部に侵入した風・風圧を排出できる程度に防水シート１に取り付ける。
【００１１】上記工程により完成した風に吹き飛ばされない防水シートは台風などの強い風と大雨時においても，防水シートの働きを保ちながらも開口部２からシート内へ侵入した風を開口部２から排出し、風力を減衰させることによりシートの破損や吹き飛ぶことなどによる周辺域に損傷を及ぼす等の防水シートトラブルを起こさないという効果は大である。
【産業上の利用可能性】
【００１２】本考案は、土木，建設，農業等の産業や一般家庭での防水、保護被覆などの目的で使用されるシートを製造する産業に有用である。
【符号の説明】
【００１３】１・・・・防水シート
２・・・・開口部
３・・・・鳩目
４・・・・鳩目基部
５・・・・鳩目リング部
６・・・・雨水防止カバーシート
７・・・・流水浸入防止具
８・・・・７の鍔部
９・・・・７の雨水浸入防止壁
１０・・・・ロープ
【図１】
0003226399.tif 000003
【図２】
0003226399.tif 000004
【図３】
0003226399.tif 000005
【図４】
0003226399.tif 000006
【図５】
0003226399.tif 000007
【手続補正書】
【提出日】令和2年3月4日(2020.3.4)
【手続補正１】
【補正対象書類名】実用新案登録請求の範囲
【補正対象項目名】全文
【補正方法】変更
【補正の内容】
【実用新案登録請求の範囲】
【請求項１】
雨水などの水の浸入を防止する布やビニール製のシートに、１〜数箇所の開口部を設け内部に浸入した風・風圧を排出することを特徴とする、耐風雨防水シート。
【請求項２】
当該防水シートの開口部にシート表面を流れる雨水が内部に浸入するのを防止するための水止め壁を有する流水防止具を装着し、内部に浸入した風・風圧を排出することを特徴とする請求項１記載の耐風雨防水シート。
【請求項３】
小面積の防水シート（開口部カバーシート）と本体の防水シートを互いの鳩目に通したロープで防水シート内部に浸入した風・風圧を排出できる程度に装着して、開口部からの雨水の浸入を防止し、内部に浸入した風・風圧を排出することを特徴とする請求項１記載の耐風雨防水シート。
(57)【要約】      （修正有）【課題】バインダー内に収納された書類を取り出すことなく綴り紐を挿通させ、冊子としてまとめることができるバインダー金具を提供する。【解決手段】バインダー金具は、穴あき書類収納バインダーの穴あき書類を通す綴管を管状にすることで、空洞を形成し、綴管底部５、６より綴じ紐３の先端を通し、綴管上部１、２から抜ける機構を有する。綴管双方の向かい合った面と綴管下部が蝶着されている底部に切り欠きを形成し、綴り紐の中央部が上面に挿通する機構を持たせることで、バインダーに収納された書類を取り出すことなく、綴じ紐を書類に挿通させ、冊子にすることができる。【選択図】図１
0003226338.tif 000002
【実用新案登録請求の範囲】
【請求項１】
バインダー背表紙に固定する底板、該底板に蝶着され、内面に綴管を突出している回転側板と、前記綴管に挿通する綴杆を突出する抑え板を備えるパンチ等で穴を開けた書類を収納するバインダーに設置するバインダー金具であって、前記回転側板に突出して固定される一対の綴管が相向かい合う側面に長手方向に切り欠き部があり、底板も綴管蝶着部双方に亘り切り欠きで繋がっており、回転側板を貫通してお互いに連通できる機構を備えることを特徴とするバインダー金具。
【考案の詳細な説明】
【技術分野】
【０００１】  本考案は、穴あき書類収納バインダーの金具の二本の垂直綴管に縦に切り欠き部を形成、また当該二本の綴管の蝶着部間に切り欠きを形成したバインダーの金具の構造に関するものである。
【背景技術】
【０００２】  バインダー内に収納した書類が増え、また年度変わりで書類を綴り紐等で冊子化する際に、一度バインダー内の書類を取り出してから綴じ紐を通していた。
【先行技術文献】
【特許文献】
【０００３】
【特許文献１】特開２００３−２８５５８８
【０００４】
【非特許文献】
【非特許文献】該当なし
【考案の概要】
【考案が解決しようとする課題】
【０００５】  バインダーに収納されている書類を綴り紐等で冊子にする際、必ずバインダーから書類を取り出して、穴の位置を合わせてから綴り紐を通していた。書類が多ければ多いほど、バインダーから取り出して、上下左右を整え、穴を合わせる作業に時間を要していた。また収納されている書類の大きさが不揃いで穴の位置を合わせる作業に困難をきたしたり、膨大な量の書類を取り出した際に、書類の束が崩れ順序がわからなくなることもある。従って、書類がバインダーに収納されている状態から綴じ紐を通し、冊子化できるようにすることで、前述の問題を解決しようとするものである。
【課題を解決するための手段】
【０００６】  バインダー背表紙に固定する底板、該底板に蝶着され、内面に綴管を突出している回転側板と、前記綴管に挿通する綴杆を突出する抑え板を備えるパンチ等で穴を開けた書類を収納するバインダーに設置するバインダー金具であって、前記回転側板に突出して固定される一対の綴管が相向かい合う側面に長手方向に切り欠き部があり、底板も綴管蝶着部双方に亘り切り欠きで繋がっており、回転側板を貫通してお互いに連通できる機構を備えることを特徴とするバインダー金具。
本考案は、バインダー内に付設されている穴あき書類を通す二本の綴管に両側が対面するように縦に綴じ紐が通過する切り欠きを形成し、また二本の綴管の蝶着部を起点にその二本の綴管の下部蝶着点を繋ぐように綴じ紐が抜ける切り欠きを形成、綴管の下部に綴じ紐の先端を通すことができる空洞を形成することで、バインダー内に書類が収納されている状態でそれぞれの綴管の下部の空洞から綴じ紐の先端を通し、綴じ紐の中央部が二本の綴管の下部を繋ぐように形成した切り欠きを通ることで綴じ紐が上方向に挿通することにより問題点を解決している。
【考案の効果】
【０００７】  上述の様に、本考案の綴じ紐挿通ガイド切り欠き付きバインダー金具は従来通りの使用方法のままバインダーに書類を収納でき、一定量書類が増えた際や年度の更新などでバインダー内の収納書類に綴じ紐を通して冊子化させる際にいちいち書類を取り出して上下左右を整え穴の位置を合わせるという煩雑な作業を無くすことができる。また書類を取り出した際に数枚が落下し、順序が不明になるというリスクも無くすことができ、時間や手間の節約になる。
【図面の簡単な説明】
【０００８】
【図１】  本考案の綴じ紐挿通ガイド切り欠き付きバインダー金具の実施例を示す斜視図である。
【図２】  本バインダー金具の正面図である。（背面図は正面図と対称のため省略）
【図３】  本バインダー金具の右側面図である。（左側面図は右側面図と対称のため省略）
【図４】  本バインダー金具の上面図である。（底面図は平面図と対称のため省略）
【考案を実施するための形態】
【０００９】  バインダー内に蝶着されている穴あき書類を通す二本の綴管に両側が対面するように縦に綴じ紐が通過する切り欠きを形成し、また二本の綴管の接着部を起点にその二本の綴管の下部蝶着点を繋ぐように綴じ紐が挿通する切り欠きを形成、綴管の下部に綴じ紐の先端を通すことができる空洞を形成することで、バインダー内に書類が収納されている状態でそれぞれの綴管の下部の空洞から綴じ紐の先端を通し、綴じ紐の中央部が二本の綴管の下部を繋ぐように形成した底板の切り欠きを通ることで綴じ紐が上方向に挿通することができ、綴管を抜けた綴じ紐の両先端を上方向に引っ張りあげることで、バインダーに収納されていた書類の穴にすでに綴じ紐が通った状態で書類を取り出すことができる。
【実施例】
【００１０】  以下、添付図に従って一実施例を説明する。▲１▼及び▲２▼は書類収納バインダーの穴あき書類を通すガイドである。また同ガイドは管状になっており、中は空洞である。この空洞を通って書類綴り用の紐が矢印の方向（上方向）に挿通することを可能にしている。また、同▲１▼▲２▼の綴管は向き合う面が互いに「Ｃ」の字の如く切り欠きを形成している。この切り欠きがあることで一本の綴り紐が二本の綴管の空洞部を通過しながら、上に抜けていくことを可能にしている。▲５▼及び▲６▼は穴あき書類を通す綴管の底部であり、上部同様に「Ｃ」の字のように切り欠き及び空洞を形成し、綴り紐の先端部を挿入することを可能にしている。▲５▼と▲６▼の綴管底部を固定している底板には▲５▼と▲６▼の間に切り欠きが形成されており、▲３▼で示した綴り紐中央部が▲４▼で示した方向（上方向）に挿通することを可能にしている。
【符号の説明】
【００１１】▲１▼及び▲２▼  バインダーに蝶着された穴あき書類を通す綴管上部
▲３▼  黒太実線で示された書類綴り用紐の中央部
▲４▼  黒太実線で示された書類綴り用紐が上部に移動する方向を示す
▲５▼及び▲６▼  穴あき書類を通す綴管と底板との蝶着部
【図１】
0003226338.tif 000003
【図２】
0003226338.tif 000004
【図３】
0003226338.tif 000005
【図４】
0003226338.tif 000006
(57)【要約】      （修正有）【課題】持ち運びができる折りたたみ式のホワイトボードのホワイトボード面に、五線譜を表示した五線譜付きホワイトボードを提供する。【解決手段】五線譜付きホワイトボード１は、ヒンジ部１０ａを備えた１枚の樹脂シート１０を折り曲げて形成され、該樹脂シート１０には五線譜を表示したホワイトボードシート１１を具備し、五線譜を表示したホワイトボードシート１１には鉄粉が混同されているため磁石が吸着する。収納時にはコンパクトに折りたたまれており、適時自立可能な状態にして使用する。【選択図】図１
0003226331.tif 000002
【実用新案登録請求の範囲】
【請求項１】
持ち運びができる折りたたみ式のホワイトボードのホワイトボード面に、五線譜を表示した五線譜付きホワイトボードシートを備えた事を特徴とする、五線譜付きホワイトボード。
【請求項２】
前記、ホワイトボードのホワイトボードシートの原料に鉄粉を混同することで磁石が吸着することを特徴とした、請求項１に記載の五線譜付きホワイトボード。
【考案の詳細な説明】
【技術分野】
【０００１】
本考案は、自立可能な持ち運びができる折りたたみ式の五線譜付きホワイトボードに関する。
【背景技術】
【０００２】
音楽教室などで楽譜の読み書きを学習する際には、簡便な手段として五線譜ノートやホワイトボードが用いられている。
【先行技術文献】
【特許文献】
【０００３】
【特許文献１】特開２０００−２０６８６８公報
【特許文献２】意匠登録第１５８７０７９号公報
【考案の概要】
【考案が解決しようとする課題】
【０００４】
ピアノをはじめとした楽器の練習において、指導者が生徒に対して演奏の要点を伝えたり、楽譜の読み書きの能力を身につけさせる際には五線譜ノートや小型のホワイトボードなどを用いて指導することがある。
【０００５】
生徒が幼児期の子供の場合、楽譜の読み書きを教えるには興味をひかせる必要があり、特許文献１のような遊戯具式の楽譜を用いたりして工夫を凝らしながら指導している。しかしながら特許文献１のような遊戯具式のものは場所を取るうえ、ピアノを用いた学習では指導の際に設置場所に困ることが考えられる。
【０００６】
また、特許文献２のような自立式のホワイトボードを用いた学習においては設置場所の問題は解決するが、都度ホワイトボード面に五線譜をはじめとする音符や音楽記号を書かなければならない。
【課題を解決するための手段】
【０００７】
本考案の五線譜付きホワイトボードは、持ち運びができる折りたたみ式のホワイトボードのホワイトボード面に五線譜を表示したことにより、都度五線譜を書く必要がなくなるとともに、指導者が生徒に対して演奏の要点を伝えたり楽譜の読み書きなどを教える際に、設置場所を限定しないことで課題を解決する。
【考案の効果】
【０００８】
設置場所を限定することなく、楽譜の読み書きや演奏指導の学習教材として使用でき、終了後は折りたたむことで収納性に優れる。
【０００９】
五線譜を表示したホワイトボードシートには鉄粉が混同されているので、ホワイトボード用のマーカーで音符や記号などを記入するだけでなく、一般にマグネットと呼ばれる小型の磁石を樹脂などで包んだ文具・事務用品を用いて音符と見立てて代用することができる。さらにマグネットシートと呼ばれる薄い板状のマグネットを用いて、音楽記号を表示したシートを用意し手書きの代わりとしても良い。
【図面の簡単な説明】
【００１０】
【図１】本考案の実施の形態による五線譜付きホワイトボードの正面図である。
【図２】本考案の実施の形態による五線譜付きホワイトボードを使用状態にした斜視図である。
【図３】本考案の実施の形態による五線譜付きホワイトボードを使用状態にし、音符などを書き込んだ状態を示す斜視図である。
【図４】本考案の実施の形態による五線譜付きホワイトボードを使用状態にし、マグネットや音楽記号シートを貼り付けた状態を示す斜視図である。
【考案を実施するための形態】
【００１１】
以下に、本考案の実施の形態について説明する。図１に示すように、本考案の五線譜付きホワイトボード（１）は樹脂シート（１０）と、五線譜を表示したホワイトボードシート（１１）によって構成され、五線譜を表示したホワイトボードシート（１１）には鉄粉が混同されており磁石が吸着する。
【００１２】
樹脂シート（１０）はヒンジ部（１０ａ）を備え、ヒンジ部（１０ａ）を折り曲げることにより図２、図３、図４に示すように自立した使用状態となる。
【００１３】
前記五線譜を表示したホワイトボードシート（１１）は鉄粉が混同されているため、マグネット（２０）や音楽記号を付した音楽記号シート（３０）を吸着させることができる。
【符号の説明】
【００１４】
（１）  ・・・・・五線譜付きホワイトボード
（１０）・・・・・樹脂シート
（１１）・・・・・五線譜を表示したホワイトボードシート
（２０）・・・・・マグネット
（３０）・・・・・音楽記号シート
【図１】
0003226331.tif 000003
【図２】
0003226331.tif 000004
【図３】
0003226331.tif 000005
【図４】
0003226331.tif 000006
【手続補正書】
【提出日】令和2年3月19日(2020.3.19)
【手続補正１】
【補正対象書類名】実用新案登録請求の範囲
【補正対象項目名】請求項１
【補正方法】変更
【補正の内容】
【請求項１】
ヒンジ部を折り曲げることにより、持ち運びができる折りたたみ式のホワイトボードのホワイトボード面に、五線譜を表示した五線譜付きホワイトボードシートを備えた事を特徴とする、五線譜付きホワイトボード。
(57)【要約】      （修正有）【課題】荷物の大きさに合わせ棚板の位置が細かく調整でき、積載量を増やすことができるアジャスターを提供する。【解決手段】六輪台車の棚板の高さを調整するアジャスター５であって、梁１と、梁に設けられた脚２と、梁及び脚の端部に設けられたフック３、４を備え、六輪台車の棚枠または棚枠の梁にフックを脱着可能に装着する。既存の棚枠の梁の上に簡単に装着でき、梁の間に棚板を乗せることができるようになる。【選択図】図１
0003226332.tif 000002
【実用新案登録請求の範囲】
【請求項１】
梁に脚を設け、梁と脚の端にフックを設けたことを特徴とするアジャスター。
【考案の詳細な説明】
【技術分野】
【０００１】
本考案は、六輪台車の棚板の高さを調整するアジャスターに関するものである。
【背景技術】
【０００２】
従来の六輪台車には、棚板の位置が調整できるようにはしご状の棚枠が付いていて、棚板の取り付け位置の調整が可能であった。
【先行技術文献】
【特許文献】
【０００３】
【特許文献１】実開平4-137965
【特許文献２】特開平09-207785
【特許文献３】特開2015-093647
【特許文献４】特開2015-093647
【考案の概要】
【考案が解決しようとする課題】
【０００４】
六輪台車の棚枠には棚板を乗せるための梁が数段あり、その梁に棚板を乗せ棚の高さの調整をしていたが、荷物の高さがわずかに高い場合でも、上段の棚が一段上になるため、積載できる荷物の量が少なくなったり、重心が高くなり幅が狭い六輪台車は地面の段差や傾きで転倒する可能性が高くなったりした。また、積載高が高くなり出入り口のわずかな高さの差で出入りができなくなることがあった。
本考案は、既存の棚枠の梁の中間の位置にも棚板が置けるようにするためのアジャスターで、脱着も容易にできるアジャスターを提供しようとするものである。
【課題を解決するための手段】
【０００５】
本考案は、梁の下に脚を設け、梁と脚の端にフックを設けたものである。
【考案の効果】
【０００６】
本考案は、既存の棚枠の梁の中間の位置にも棚板が置けるようになり、荷物の大きさに合わせ棚板の位置が細かく調整できるようになるため、積載量を増やすことができるようになる。
【０００７】
棚板の位置を下げられることにより、重心が下がり、移動時の転倒の確率が下がる。
【０００８】
棚板の位置を下げられることにより、全高を下げることができ、わずかな高さの差で通過できなかった場所を通過できるようになる。
【０００９】
本校案は、構造が単純なため、脱着が容易で安価で丈夫なアジャスターを提供できる。
【図面の簡単な説明】
【００１０】
【図１】図１は斜視図である。
【図２】図２は脱着時の状態を示す図である。
【図３】図３は装着時の状態を示す図である。
【図４】図４は台車に取り付けた状態を示す図である。
【図５】図５はアジャスターに棚板を乗せた状態の台車の図である。
【図６】図６はアジャスター無しで荷物を積載した参考図である。
【図７】図７はアジャスター付きで荷物を積載した参考図である。
【考案を実施するための形態】
【００１１】
図１に示すように、梁１に脚２を設け、梁１の両端にフック３、脚２の先端にフック４を設けたものである。
【実施例】
【００１２】
図２に示すように、アジャスター５を棚枠６へ脱着する場合は、アジャスター５を傾きＡの状態に傾けることにより、棚枠６と梁７の間に隙間ができ脱着ができる。
【００１３】
図３に示すように、アジャスター５の梁１を棚枠６の梁７と平行にすることにより装着ができ、フック３が棚枠６を抱え込み、フック４が梁７を抱え込むことにより固定される。
【００１４】
図６に示すように、棚枠６の梁７-Ａよりわずかに高い高さの荷物１０を台車８に乗せた場合、梁７-Ｂの位置に棚板９を乗せ荷物１１を乗せるようになり、梁７-Ｃには棚板を乗せることができないが、図７のように、本考案品のアジャスター５を梁７-Ａに取り付けることにより、荷物１１の位置が下がり、梁７-Ｃに棚板１２を追加することができるようになる。
【産業上の利用可能性】
【００１５】
本考案のアジャスター５を使用することにより、積載高さを低くすることができる。
【００１６】
本考案のアジャスター５を使用することにより、重心が下がりより安全に荷物の移動ができる。
【００１７】
本考案のアジャスター５を使用することにより、より多くの荷物を、積載することができる。
【００１８】
本考案のアジャスター５を使用することにより、全高が低くなり、わずかな高さの差で通過できなかったところを、通過できるようになる。
【符号の説明】
【００１９】
１  梁
２  脚
３  フック
４  フック
５  アジャスター
６  棚枠
７、７-Ａ、７‐Ｂ、７‐Ｃ  梁
８  台車
９  棚板
１０  荷物
１１  荷物
１２  棚板
Ａ  傾き
【図１】
0003226332.tif 000003
【図２】
0003226332.tif 000004
【図３】
0003226332.tif 000005
【図４】
0003226332.tif 000006
【図５】
0003226332.tif 000007
【図６】
0003226332.tif 000008
【図７】
0003226332.tif 000009
【手続補正書】
【提出日】令和2年3月13日(2020.3.13)
【手続補正１】
【補正対象書類名】実用新案登録請求の範囲
【補正対象項目名】全文
【補正方法】変更
【補正の内容】
【実用新案登録請求の範囲】
【請求項１】
六輪台車の棚板の高さを調整するアジャスターであって、梁と、梁に設けられた脚と、梁及び脚の端部に設けられたフックを備え、前記六輪台車の棚枠または前記棚枠の梁に前記フックを脱着可能に装着することを特徴とするアジャスター。
(57)【要約】      （修正有）【課題】印鑑の輪郭部が欠けやすいという問題と、書体が安易なため偽造されやすいという問題を解決するとともに、複雑な印影であっても、押印時の上下左右が自己確認できる印鑑を提供する。【解決手段】印鑑の印影に総手彫りで彫られる複数の跳ね形状を備えた偽造防止オリジナル吉相印鑑であって、複数の跳ね形状が印鑑の輪郭部に接する異なる位置に三ヶ所設けられ、跳ね形状は、先端部が鋭角であり、かつ輪郭部に接する部分から先端部にかけて曲部を有する。この跳ね形状が押印字の上下左右の目印になる。【選択図】図１
0003226356.tif 000002
【実用新案登録請求の範囲】
【請求項１】
印鑑の印影に総手彫りで刀のような跳ねの特殊な形状を各々によって位置をかえて三ケ所加える事により偽造防止と輪郭部の欠けの強化さらに美しい印影にこだわった偽造防止オリジナル印鑑
【考案の詳細な説明】
【技術分野】
【０００１】本考案は、印鑑の輪郭に接点する点に、今までにない特殊な形状を加え、印鑑の問題点を解決しようとする、印影に関するものである。
【背景技術】
【０００２】印鑑においては値段はさまざまだが、高価な印材であっても輪郭部が繊細なため欠けやすいという点、実用では安易な形状で偽造されやすい点と印影の文字が複雑になれば押印時の上下がわかりづらいという問題がある。
【考案の開示】
【考案が解決しようとする課題】
【０００３】印鑑の輪郭部に接する点に従来にない特殊な形状を三箇所加えることにより、欠けにくく丈夫でさらに見た目にも美しい印影に仕上げ吉相とする。印影に刀状の跳ねのデザインを三箇所組み込み三点を個人の押印時の自己確認の目印とし、前述の偽造防止と押印時の上下左右の確認の問題をすべて解決しようとするものである。
【問題を解決するための手段】
【０００４】印影全体のバランスを崩さず印面の輪郭にできる隙間をなるべくつめることで輪郭部の強度を上げる。総手彫りで従来になかった強化接点を個人の姓名のバランスに合わせて印影に三箇所加える。印鑑の強度とオリジナリティーをあげて、さらに力強く美しい吉相の印影を実現するとともに特殊な形状の強化接点で問題点を解決している。
【考案の効果】
【０００５】上述のように本考案の強化接点は、美しく個性的な印影を実現するだけではなく、欠けやすい輪郭の強度を上げることにより、印鑑社会の日本において、使う人が永く愛用する事ができ、二つとないオリジナルブランドとして個人の印に対する意識を高める。刀状の特殊な形状の強化接点が目印と偽造防止になり、印鑑による事故防止にもつながる。
【考案を実施するための最良の形態】
【０００６】他者との形状の違いと特徴を出すために、総手彫りで印面に絶妙なバランスで強化接点を三箇所作る。同じ姓名であっても強化接点の位置を微妙に変え同一のものが作れないようにする。従来にない特殊な形状の強化接点は持ち主の見た目にはわかりやすく、押印時の確認の目安となるうえ、掘り込まれる書体の流れと一体化し印影の品格を落とさないように工夫した。
【実施例】
【０００７】添付図面に従って一実施例を説明する。図１の１，２，３の特殊な形状は本考案の最も重要な部分である。書体の形態を損なわず自然な形で面を作り、輪郭の欠けに強い構造にする。１，２，３は従来にない刀の形状を個人個人によって位置を設定し印影のデザインに組み込んでいく。同じ姓名であっても他者との違いとし、またこの１，２，３の強化接点を押印時、個人の上下左右の目印とする。また、この１，２，３は、総手彫りでないと実現できない特殊なデザインのため偽造防止となる最も重要な部分である。
【図面の簡単な説明】
【０００８】
【図１】本考案の印影の正面図である。
【図１】
0003226356.tif 000003
【手続補正書】
【提出日】令和2年2月17日(2020.2.17)
【手続補正１】
【補正対象書類名】実用新案登録請求の範囲
【補正対象項目名】全文
【補正方法】変更
【補正の内容】
【実用新案登録請求の範囲】
【請求項１】
印鑑の印影に総手彫りで彫られる複数の跳ね形状を備えた偽造防止オリジナル吉相印鑑であって、前記複数の跳ね形状が印鑑の輪郭部に接する異なる位置に三ヶ所設けられ、前記跳ね形状とは、先端部が鋭角であり、かつ前記輪郭部に接する部分から先端部にかけて曲部を有する事を特徴とする。
(57)【要約】      （修正有）【課題】身近において、体力を要せず掌を回転するだけで身体のこりを柔軟にすることができるマッサージ具を提供する。【解決手段】片手で握れる掌サイズの球体の表面に、略等間隔で小円柱状突起２を配して、転がり易く球体１を形成し、小円柱状突起の１つにストラップを掛ける孔３を穿設する。これによって、身近において気軽にマッサージすることができる。【選択図】図１
0003226359.tif 000002
【実用新案登録請求の範囲】
【請求項１】
球体表面において隣接する３２個の小円柱状突起を略等間隔に配し、当該小円柱状突起で転がり易く球体を形成し、小円柱状突起の１つにストラップ孔を穿設したことを特徴とする指圧マッサージ具。
【考案の詳細な説明】
【技術分野】
【０００１】  本考案は、筋肉の張りや凝りをやわらげて、筋肉の疲労回復と血流の循環を促すために用いる指圧マッサージ具に関する。
【背景技術】
【０００２】  従来の指圧具は、筋肉の張りや凝りの患部及びその周辺を指圧する時間と労力を要していた。また、身近に携帯し使用する際の簡易性に欠けるため不便であった。【０００３】  指圧具の球体表面に複数の小円柱状突起を略等間隔に配し握り込んで使用できるものがあった（例えば、非特許文献１参照）。
【先行技術文献】
【非特許文献】
【０００４】
【非特許文献１】特許庁意匠課公知資料番号  第ＨＪ２７０４６６７８号
【考案の概要】
【考案が解決しようとする課題】
【０００５】  従来の指圧具やマッサージ具は、球体の表面に複数の小円柱状突起を等間隔に配設されているが、全方位に回転させて指圧やマッサージすることができなかった。【０００６】  また、従来の指圧具やマッサージ具では、身近に携帯することができないため、使用上の簡便さに欠けるなどの問題点があった。【０００７】  本考案は、従来の指圧具やマッサージ具が有する問題点を解消しようとするものであって、筋肉の張りや凝りの患部及びその周辺を柔軟にするため全方位に回転し易く形成すると共に、ストラップを取り付けて携帯し易くしたことを特徴とする指圧マッサージ具の提供を課題とするものである。
【課題を解決するための手段】
【０００８】  本考案に係る指圧マッサージ具は、前記の課題を達成するために、以下の構成を採用した。【０００９】  本考案は、木製又は合成樹脂製の球体を成形し、当該球体表面に３２個の小円柱状突起を略等間隔に配し、当該小円柱状突起の１つにストラップ孔を穿設したことを特徴とする指圧マッサージ具である。
【考案の効果】
【００１０】  本考案に係る指圧マッサージ具は、球体の表面に筋肉の張りや凝りの患部とその周辺を柔軟にするため、小円柱状突起を略等間隔に配設したので球体が全方位に回転し易くなると共に、当該小円柱状突起のストラップ孔にストラップを取り付けて使用できるので、携帯することが可能な指圧マッサージ具である。
【図面の簡単な説明】
【００１１】
【図１】本考案の実施形態を示す斜視図（写真）である。
【考案を実施するための形態】
【００１２】  本考案は、指圧しマッサージする分野に属する指圧マッサージ具であって、筋肉の張りや凝りを柔軟にする際に利用するものであって、以下、本案に係る指圧マッサージ具の実施例を図面に基づいて説明する。
【００１３】  木製や合成樹脂製の球体１を成形し、当該球体１の表面に３２個の小円柱状突起２を立設する。当該小円柱状突起２は筋肉の張りや凝りの患部とその周辺を指圧しマッサージするものであって、なお、前記の小円柱状突起２は全方位に回転し易く略等間隔に配設したことを特徴とする。
【００１４】  前記小円柱状突起２の１つにストラップ孔３を穿設し、当該ストラップ孔３にストラップ（図示せず）を取り付けて携帯可能にしたことを特徴とする指圧マッサージ具である。
【００１５】  したがって、筋肉の張りや凝りの患部とその周辺を柔軟にするためには、手首に掛けられるようにストラップを結束することによって、小円柱状突起２を全方位に回転させることができる可能となる。
【００１６】  すなわち、筋肉の張りや凝りの患部とその周辺を略同時的に指圧しマッサージすることによって、筋肉の張りや凝りをやわらげて、筋肉の疲労や血流の循環を促すことを特徴とする指圧マッサージ具である。
【符号の説明】
【００１７】      １  球体
２  小円柱状突起
３  ストラップ孔
【図１】
0003226359.tif 000003